(57)【要約】【課題】無線タグを利用して、解錠すべき扉を選択することができる入退室管理システムを提供する。【解決手段】複数の扉２の各々に対応して設けられた複数のタグリーダー３と、無線タグ７から送信される電波９を複数のタグリーダー３が同時に受信している場合に、複数の扉２の中から解錠すべき扉２を選択する選択手段５と、無線タグ７で所定の操作が行われた際に選択されている扉２の解錠指示１１を出力する出力手段５と、を備えるように構成した。これにより、無線タグ７を利用して、解錠すべき扉２を選択することができる。【選択図】図１
2012219483.tif 000002
【特許請求の範囲】
【請求項１】
複数の扉の各々に対応して設けられた複数のタグリーダーと、
無線タグから送信される電波を前記複数のタグリーダーが同時に受信している場合に、前記複数の扉の中から解錠すべき扉を選択する選択手段と、
前記無線タグで所定の操作が行われた際に選択されている扉の解錠指示を出力する出力手段と、
を備えたことを特徴とする入退室管理システム。
【請求項２】
前記出力手段は、前記複数のタグリーダーの各々に受信されている電波の強度の差が所定値以下の場合は、前記タグで所定の操作が行われた際に選択されている扉の解錠指示を出力し、前記差が所定値よりも大きい場合は、強度の強い電波を受信しているタグリーダーに対応した扉の解錠指示を出力することを特徴とする請求項１記載の入退室管理システム。
【請求項３】
前記複数のタグリーダーの各々に近接して設けられ、近接したタグリーダーに対応した扉が選択されている場合に、当該扉が選択されている旨を表示する表示装置、
を備えたことを特徴とする請求項１又は請求項２に記載の入退室管理システム。
【発明の詳細な説明】
【技術分野】
【０００１】
この発明は、入退室管理システムに関するものである。
【背景技術】
【０００２】
入退室管理システムにおいては、扉に対応して、タグリーダーが設けられる。タグリーダーは、ＬＦ電波を送出する。このＬＦ電波範囲内で、無線タグはＬＦ電波を受信し、ＵＨＦ電波を送信する。タグリーダーは、ＵＨＦ電波を受信し、対応した扉を解錠する。
【０００３】
ＬＦ電波は、タグリーダーを中心に半径２ｍ程度の範囲まで伝播される。すなわち、扉を解錠するためには、無線タグを持って扉から２ｍ程度の範囲内まで移動する必要がある。このため、屋外の車両等に対応した扉にシステムを適用した場合、走行中の車両を円滑に通行させることができない。
【０００４】
これに対し、無線タグがＬＦ電波を受信することなく、ＵＨＦ電波を送信できるようにすれば、扉から離れたところから扉を解錠することができる。
【０００５】
しかしながら、扉が隣接する場所では、両方の扉に対応したタグリーダーがＵＨＦ電波を受信する。このため、どちらの扉を解錠すべきかを判定することができない。
【０００６】
これに対し、電波の強度の差に基づいて、どちらの扉を解錠すべきかを判定するシステムが提案されている。具体的には、電波の強度が一定値以上のときに自動的に解錠すべき扉が決定される（例えば、特許文献１参照）。
【０００７】
しかしながら、特許文献１記載のものにおいては、電波の強度が一定値未満の場合は、どちらの扉を解錠すべきかを判定することができない。
【０００８】
これに対し、ユーザー側の装置で解錠すべき扉を指定するものが提案されている（例えば、特許文献２参照）。
【先行技術文献】
【特許文献】
【０００９】
【特許文献１】特開２００１−２０４０５９号公報
【特許文献２】特開２００２−１６１６５６号公報
【発明の概要】
【発明が解決しようとする課題】
【００１０】
しかしながら、無線タグは、扉を指定するための機能を有していない。このため、無線タグを利用したシステムにおいて、特許文献２記載の指定方法を適用することはできない。
【００１１】
この発明は、上述のような課題を解決するためになされたもので、その目的は、無線タグを利用して、解錠すべき扉を選択することができる入退室管理システムを提供することである。
【課題を解決するための手段】
【００１２】
この発明に係る入退室管理システムは、複数の扉の各々に対応して設けられた複数のタグリーダーと、無線タグから送信される電波を前記複数のタグリーダーが同時に受信している場合に、前記複数の扉の中から解錠すべき扉を選択する選択手段と、前記無線タグで所定の操作が行われた際に選択されている扉の解錠指示を出力する出力手段と、を備えたものである。
【発明の効果】
【００１３】
この発明によれば、無線タグを利用して、解錠すべき扉を選択することができる。
【図面の簡単な説明】
【００１４】
【図１】この発明の実施の形態１における入退室管理システムの構成図である。
【発明を実施するための形態】
【００１５】
この発明を実施するための形態について添付の図面に従って説明する。なお、各図中、同一又は相当する部分には同一の符号を付しており、その重複説明は適宜に簡略化ないし省略する。
【００１６】
実施の形態１．
図１はこの発明の実施の形態１における入退室管理システムの構成図である。
【００１７】
図１において、１は隣接した居室である。各居室１の一側には、扉２が設けられる。各扉２は、互いに隣接する。各扉２に近接して、タグリーダー３が設けられる。各タグリーダー３に近接して、表示装置４が設けられる。
【００１８】
各タグリーダー３と各表示装置４とは、ＩＤコントローラ５に接続される。ＩＤコントローラ５には、記憶装置６が接続される。記憶装置６には、ユーザーの個人情報が記憶される。
【００１９】
７は無線タグである。無線タグ７は、ユーザー（図示せず）に携帯される。無線タグ７には、ボタン８が設けられる。
【００２０】
このようなハンズフリーの入退室管理システムにおいては、ユーザーが扉２から離れたところでボタン８を押下すると、無線タグ７がＵＨＦ電波９を直接送信する。扉２が隣接する場合、ＵＨＦ電波９は、一定時間内に双方のタグリーダー３に受信される。
【００２１】
双方のタグリーダー３は、ＵＨＦ電波９から無線タグ７のＩＤ情報を取得するとともに、ＵＨＦ電波９の電界強度を測定する。双方のタグリーダー３は、ＩＤ情報と電界強度とを受信情報１０としてＩＤコントローラ５に出力する。
【００２２】
ＩＤコントローラ５は、一定時間内に同一の受信情報１０を受信した場合に双方のタグリーダー３から出力された電界強度を比較する。電界強度の差が所定値よりも大きい場合、ＩＤコントローラ５は、電界強度の強いＵＨＦ電波９を受信しているタグリーダー３に扉２の解錠指示１１を出力する。この指示１１に基づいて、タグリーダー３は、扉２を解錠する。
【００２３】
これに対し、双方のタグリーダー３から出力された電界強度の差が所定値以下の場合、ＩＤコントローラ５は、解錠すべき扉２を選択する選択手段として機能する。
【００２４】
具体的には、ＩＤコントローラ５は、解錠すべき扉２として扉２の一方を選択する。この際、ＩＤコントローラ５は、扉２の一方に近接した表示装置４の一方に点滅の指示１２を出力する。この指示１２に基づいて、表示装置４の一方は、点滅することにより、扉２の一方が解錠すべき扉２として選択されている旨を表示する。
【００２５】
その後、一定時間（例えば、５秒）が経過すると、ＩＤコントローラ５は、表示装置４の一方に点滅停止の指示１２を出力する。この指示１２に基づいて、表示装置４の一方は、点滅を停止する。
【００２６】
その後、ＩＤコントローラ５は、解錠すべき扉２として扉２の他方を選択する。この際、ＩＤコントローラ５は、扉２の他方に近接した表示装置４の他方に点滅の指示１２を出力する。この指示１２に基づいて、表示装置４の他方は、点滅することにより、扉２の他方が解錠すべき扉２として選択されている旨を表示する。
【００２７】
その後、一定時間（例えば、５秒）が経過すると、ＩＤコントローラ５は、表示装置４の他方に点滅停止の指示１２を出力する。この指示１２に基づいて、表示装置４の他方は、点滅を停止する。
【００２８】
その後、ＩＤコントローラ５は、解錠すべき扉２の変更を繰り返す。この際、ＩＤコントローラ５は、解錠すべき扉２の変更に応じて、上記同様に表示装置４を制御する。
【００２９】
ユーザーが解錠すべき扉２を選択する際には、解錠する扉２に近接した表示装置４が点滅しているときに、再度無線タグ７のボタン８を押下すればよい。例えば、ユーザーが扉２の一方を解錠する場合は、表示装置４の一方が点滅しているときに、無線タグ７のボタン８を押下すればよい。
【００３０】
この押下により、無線タグ７がＵＨＦ電波９を送信する。このＵＨＦ電波９は、タグリーダー３の一方に受信される。タグリーダー３の一方は、ＩＤ情報と電界強度とを受信情報１０としてＩＤコントローラ５に出力する。
【００３１】
このとき、ＵＨＦ電波９は、タグリーダー３の他方にも受信される。このため、タグリーダー３の他方も、ＩＤ情報と電界強度とを受信情報１０としてＩＤコントローラ５に出力する。
【００３２】
しかしながら、ＩＤコントローラ５は、扉２の一方が解錠すべき扉２であることを認識している。このため、ＩＤコントローラ５は、タグリーダー３の一方からのＩＤ情報と記憶装置６に記憶された個人情報と照合する。
【００３３】
その後、ＩＤコントローラ５は、照合結果に基づいて通行可能と判定した場合は、タグリーダー３の一方に解錠指示１１を出力する出力手段として機能する。この指示１１に基づいて、タグリーダー３の一方は、扉２の一方を解錠する。
【００３４】
以上で説明した実施の形態１によれば、無線タグ７から送信されるＵＨＦ電波９を複数のタグリーダー３が同時に受信している場合は、無線タグ７のボタン８が押下された際に選択されている扉２が解錠する。このため、ＵＨＦ電波９の電界強度に差がなく、解錠すべき扉２の自動判定が困難な場合でも、解錠すべき扉２を選択することができる。このシステムを屋外の車両等に対応した扉２に適用すれば、走行中の車両を円滑に通行させることができる。
【００３５】
また、複数のタグリーダー３の各々に受信されているＵＨＦ電波９の電界強度の差が所定値以上の場合は、電界強度の強いＵＨＦ電波９を受信しているタグリーダー３に対応した扉２が解錠する。このため、ユーザーに再操作を依頼することなく、適切な扉２を解錠することができる。
【００３６】
また、表示装置４は、対応した扉２が選択されている旨を表示する。このため、扉２の誤解錠を防止することができる。これにより、居室１等のセキュリティを保つことができる。
【００３７】
なお、解錠すべき扉２の選択する際の操作は、ボタン８の押下に限定されない。すなわち、無線タグ７側の所定の操作で、解錠すべき扉２を選択するようにしてもよい。
【符号の説明】
【００３８】
１  居室
２  扉
３  タグリーダー
４  表示装置
５  ＩＤコントローラ
６  記憶装置
７  無線タグ
８  ボタン
９  ＵＨＦ電波
１０  受信情報
１１  解錠指示
１２  指示
【図１】
2012219483.tif 000003